(57)【要約】【課題】廃棄時の環境負荷を低減できる商品陳列具を提供する。【解決手段】商品陳列具１１は、厚紙によって形成される。商品陳列具１１は、取付孔１８を有するとともに鉛直面に沿って配置される主壁部１５と、複数枚の厚紙を積層してなり、取付孔１８に基端部が着脱可能に装着され、取付孔１８から突出して延びるとともに商品Ｓを吊り下げ可能な平板状の商品吊下部１３と、を備える。【選択図】図１
0003233388.tif 000002
【実用新案登録請求の範囲】
【請求項１】
厚紙によって形成された商品陳列具であって、
取付孔を有するとともに鉛直面に沿って配置される主壁部と、
複数枚の前記厚紙を積層してなり、前記取付孔に基端部が着脱可能に装着され、前記取付孔から突出して延びるとともに商品を吊り下げ可能な平板状の商品吊下部と、
を備えることを特徴とする商品陳列具。
【請求項２】
前記主壁部に重ね合わせられるとともに前記主壁部における前記取付孔の周囲を補強する補強部を備えることを特徴とする請求項１に記載の商品陳列具。
【請求項３】
前記取付孔には、内側に突出するとともに前記商品吊下部の前記基端部に圧接される突出部が設けられていることを特徴とする請求項１または請求項２に記載の商品陳列具。
【考案の詳細な説明】
【技術分野】
【０００１】
本考案は、商品を吊り下げて陳列する商品陳列具に関する。
【背景技術】
【０００２】
従来、この種の商品陳列具としては、合成樹脂や金属などによって構成されたものが知られている。
【考案の概要】
【考案が解決しようとする課題】
【０００３】
しかしながら、上述のような合成樹脂や金属などによって構成された商品陳列具は、廃棄時の環境負荷が大きくなるという問題がある。
【課題を解決するための手段】
【０００４】
以下、上記課題を解決するための手段及びその作用効果について記載する。
上記課題を解決するための商品陳列具は、厚紙によって形成された商品陳列具であって、取付孔を有するとともに鉛直面に沿って配置される主壁部と、複数枚の前記厚紙を積層してなり、前記取付孔に基端部が着脱可能に装着され、前記取付孔から突出して延びるとともに商品を吊り下げ可能な商品吊下部と、を備えることを要旨とする。
【０００５】
この構成によれば、商品陳列具が厚紙によって形成されているため、商品陳列具を合成樹脂や金属などによって形成する場合に比べて、廃棄時の環境負荷を低減できる。
上記商品陳列具は、前記主壁部に重ね合わせられるとともに前記主壁部における前記取付孔の周囲を補強する補強部を備えることが好ましい。
【０００６】
この構成によれば、主壁部における取付孔の周囲が補強部によって補強されるので、主壁部における取付孔の周囲にかかる商品吊下部及び商品吊下部に吊り下げられる商品の荷重に対する耐性を向上できる。
【０００７】
上記商品陳列具において、前記取付孔には、内側に突出するとともに前記商品吊下部の前記基端部に圧接される突出部が設けられていることが好ましい。
この構成によれば、取付孔での商品吊下部のぐらつきを突出部によって抑制できるので、商品吊下部に対して商品を安定して吊り下げることができる。
【考案の効果】
【０００８】
本考案によれば、廃棄時の環境負荷を低減できる。
【図面の簡単な説明】
【０００９】
【図１】第１実施形態の商品陳列具を前側から見たときの斜視図。
【図２】同商品陳列具を後側から見たときの斜視図。
【図３】同商品陳列具の商品吊下部の側面図。
【図４】図１の要部拡大断面図。
【図５】第２実施形態の商品陳列具を前側から見たときの斜視図。
【図６】同商品陳列具を後側から見たときの斜視図。
【図７】図５の要部拡大断面図。
【図８】同商品陳列具の支持板の正面図。
【図９】同支持板と商品吊下部との係合部分を示す断面図。
【図１０】第３実施形態の商品陳列具を前側から見たときの斜視図。
【図１１】（ａ）〜（ｄ）は、変更例の商品吊下部を示す側面図。
【考案を実施するための形態】
【００１０】
（第１実施形態）
以下、商品陳列具の第１実施形態について図面に従って説明する。
図１及び図２に示すように、商品陳列具１１は、厚紙によって形成されている。商品陳列具１１は、前側及び上側が開口した有底四角箱状の本体部１２と、本体部１２に設けられた商品吊下部１３と、本体部１２に設けられた補強部１４とを備えている。本体部１２は、一枚の厚紙を前側及び上側が開口した有底四角箱状に折ることによって形成されている。
【００１１】
本体部１２は、後壁を構成する矩形板状の主壁部１５と、主壁部１５における左右の両端部から前方に向かって突出する略矩形板状の一対の側壁部１６と、一対の側壁部１６の下端と主壁部１５の下端とを繋ぐ矩形板状の底壁部１７とを備えている。主壁部１５及び一対の側壁部１６は、鉛直面に沿って配置されている。底壁部１７は、水平面に沿って配置されている。
【００１２】
一対の側壁部１６の上端縁は、前方に向かうにつれて徐々に高さが低くなるように傾斜している。主壁部１５は、上端部に主壁部１５を前後に貫通する複数（本例では４つ）の取付孔１８を有している。４つの取付孔１８は、左右方向（幅方向）に等間隔で並んで配置されている。各取付孔１８は、前後方向から見て上下方向（鉛直方向）に延びる略矩形状をなしている。各取付孔１８の上下方向の中央部における右端縁には、内側となる左側に向かって突出する突出部１９が設けられている。
【００１３】
図１及び図３に示すように、商品吊下部１３は、複数枚（例えば２枚）の平板状の厚紙を積層して切り抜くことによって形成されている。すなわち、商品吊下部１３は、折られることなく平板状をなしている。商品吊下部１３は、主壁部１５の各取付孔１８に着脱可能に装着される基端部１３ａと、商品Ｓを引っ掛けて吊り下げることが可能な矩形環状をなす引っ掛け部１３ｂとを備えている。
【００１４】
すなわち、商品吊下部１３は、基端部１３ａが取付孔１８に挿入されて装着されるとともに、引っ掛け部１３ｂが取付孔１８から前方へ向かって突出して延びている。そして、商品吊下部１３の基端部１３ａを取付孔１８に挿入して装着した状態では、突出部１９が基端部１３ａの右面に対して圧接するようになっている。
【００１５】
図２及び図４に示すように、商品吊下部１３の基端部１３ａにおける下部には、凹部１３ｃが設けられている。商品吊下部１３の基端部１３ａにおける上部には、上方に突出する凸部１３ｄが設けられている。そして、商品吊下部１３の基端部１３ａを取付孔１８に挿入して装着した際には、凹部１３ｃが取付孔１８の下端縁に係合するとともに、凸部１３ｄの前面が主壁部１５の後面における取付孔１８の直ぐ上側の部分に接触するようになっている。
【００１６】
補強部１４は、主壁部１５における各取付孔１８の周囲を補強するものであり、左右方向に延びる矩形板状をなしている。補強部１４は、左右方向の長さが主壁部１５と同じになっている。補強部１４は、主壁部１５の後面における上端部に重ね合わせられた状態で貼り付けられている。この場合、補強部１４の左右の両端面は、主壁部１５の左右の両端面とそれぞれ面一になっている。
【００１７】
補強部１４の下端部における４つの取付孔１８と対応する位置には、取付孔１８に挿入されて装着された商品吊下部１３の基端部１３ａを挿入可能なスリット２０がそれぞれ形成されている。スリット２０には、商品吊下部１３の基端部１３ａにおける主壁部１５の後面から後方に突出した部分が挿入される。本実施形態における補強部１４の各スリット２０には、商品吊下部１３の基端部１３ａの略上側半分が挿入されている。補強部１４の上端縁は、主壁部１５の上端縁よりも若干高い位置にある。
【００１８】
次に、商品陳列具１１の使用時の作用について説明する。
図１に示すように、商品陳列具１１には、各商品吊下部１３の引っ掛け部１３ｂの下部に商品Ｓに設けられたフック部２１を掛けることによって商品Ｓが吊り下げられた状態で陳列される。このとき、各取付孔１８に設けられた突出部１９が商品吊下部１３の基端部１３ａの右面に対して圧接するため、各取付孔１８での商品吊下部１３の特に左右方向のぐらつきが抑制される。このため、各商品吊下部１３に対する商品Ｓの吊り下げ状態が安定する。
【００１９】
また、通常、商品陳列具１１における商品Ｓの陳列時には、主壁部１５における各取付孔１８の周囲に対して商品吊下部１３及び商品吊下部１３に吊り下げられた商品Ｓの荷重がかかるため、主壁部１５における各取付孔１８の周囲の部分が劣化し易くなる。この点、本実施形態の商品陳列具１１では、主壁部１５における各取付孔１８の周囲の部分が補強部１４によって補強されている。
【００２０】
このため、主壁部１５における各取付孔１８の周囲の部分にかかる商品吊下部１３及び商品吊下部１３に吊り下げられる商品Ｓの荷重に対する耐性が向上する。したがって、主壁部１５における各取付孔１８の周囲の部分の劣化が抑制されるので、主壁部１５の寿命が延び、ひいては商品陳列具１１の寿命が延びる。なお、商品陳列具１１は、寿命が来た場合、廃棄されることになるが、全て厚紙によって形成されているため、廃棄が容易である。
【００２１】
以上詳述した第１実施形態によれば、次のような効果が発揮される。
（１−１）商品陳列具１１は、厚紙によって形成されている。商品陳列具１１は、取付孔１８を有して鉛直面に沿って配置される主壁部１５と、複数枚の厚紙を積層してなり、取付孔１８に基端部１３ａが着脱可能に装着され、取付孔１８から突出して延びるとともに商品Ｓを吊り下げ可能な平板状の商品吊下部１３とを備える。
【００２２】
この構成によれば、商品陳列具１１が厚紙によって形成されているため、商品陳列具１１を合成樹脂や金属などによって形成する場合に比べて、廃棄時の環境負荷を低減できる。
【００２３】
（１−２）商品陳列具１１は、主壁部１５に重ね合わせられるとともに主壁部１５における取付孔１８の周囲を補強する補強部１４を備える。
この構成によれば、主壁部１５における取付孔１８の周囲が補強部１４によって補強されるので、主壁部１５における取付孔１８の周囲にかかる商品吊下部１３及び商品吊下部１３に吊り下げられる商品Ｓの荷重に対する耐性を向上できる。
【００２４】
（１−３）商品陳列具１１において、取付孔１８には、内側に突出するとともに商品吊下部１３の基端部１３ａに圧接される突出部１９が設けられている。
この構成によれば、取付孔１８での商品吊下部１３のぐらつきを突出部１９によって抑制できるので、商品吊下部１３に対して商品Ｓを安定して吊り下げることができる。
【００２５】
（第２実施形態）
次に、商品陳列具の第２実施形態について図面に従って説明する。
この第２実施形態の商品陳列具３１は、上記第１実施形態の商品陳列具１１において、主壁部１５、一対の側壁部１６、及び補強部１４を主壁部３２、一対の側壁部３３、及び補強部３４にそれぞれ変更し、且つ支持板３５を追加したものである。そして、この第２実施形態では、第１実施形態と同じ部材については同じ符号を付して上記第１実施形態と異なる点のみを説明し、第１実施形態と重複する説明を省略する。
【００２６】
図５及び図６に示すように、主壁部３２は、第１実施形態の主壁部１５において上端縁の高さを高くしたものであり、これ以外は第１実施形態の主壁部１５と構成が同一である。すなわち、主壁部３２は、各取付孔１８から上端縁までの距離が第１実施形態の主壁部１５における各取付孔１８から上端縁までの距離よりも長くなっている。主壁部３２の前面における各取付孔１８よりも上側の領域は、例えば商品Ｓの広告欄として使用される。
【００２７】
図６及び図７に示すように、補強部３４は、第１実施形態の補強部１４において、スリット２０の代わりに商品吊下部１３の基端部１３ａを挿入可能な挿入孔３６を設け且つ上下方向の長さを長くしたものである。これら以外の補強部３４の構成は、第１実施形態の補強部１４と同一である。
【００２８】
図５及び図６に示すように、一対の側壁部３３は、前端縁に円弧状の切欠凹部３３ａが形成されている。一対の側壁部３３の上端縁は、前後方向に真っ直ぐに延びている。一対の側壁部３３の上端縁の高さは、主壁部３２の上端縁の高さよりも低く、且つ各取付孔１８の高さよりも高くなっている。一対の側壁部３３の上端縁における商品吊下部１３の前端部と対応する位置には、一対の略Ｖ字状の第１切欠部３７がそれぞれ形成されている。
【００２９】
図５、図８及び図９に示すように、一対の側壁部３３における一対の第１切欠部３７には、左右方向に延びる略矩形板状の支持板３５が架設されている。この場合、支持板３５は、鉛直面に沿って配置される。支持板３５における左右の両端部以外の部分である中間部は、厚紙を二つ折りにすることによって形成される。したがって、支持板３５は、左右の両端部の厚さが中間部の厚さの半分になっている。
【００３０】
支持板３５における左右の両端部における下端部には、一対の第１切欠部３７と係合可能な一対の略Ｖ字状の第２切欠部３８がそれぞれ設けられている。支持板３５の中間部の下端部における４つの商品吊下部１３と対応する位置には、これら４つの商品吊下部１３を下側から支持可能な支持片３９がそれぞれ設けられている。各支持片３９は、支持板３５の中間部の下端部を略Ｌ字状に切り欠くことによって形成される。本実施形態における各支持片３９は、左から右に向かって突出するように延びている。
【００３１】
支持板３５は、左右の両端部の一対の第２切欠部３８を一対の第１切欠部３７にそれぞれ係合させるとともに４つの支持片３９によって４つの商品吊下部１３の引っ掛け部１３ｂの前端部における上部をそれぞれ支持させて使用される。したがって、支持板３５は、一対の側壁部３３に支持された状態で商品吊下部１３の引っ掛け部１３ｂの前端部における上部をそれぞれ支持する。
【００３２】
次に、商品陳列具３１の使用時の作用について説明する。
図５に示すように、商品陳列具３１は、各商品吊下部１３の引っ掛け部１３ｂの下部に商品Ｓに設けられたフック部２１を掛けることによって商品Ｓが吊り下げられた状態で陳列される。このとき、支持板３５は、一対の側壁部３３に支持された状態で商品吊下部１３の引っ掛け部１３ｂの前端部における上部をそれぞれ支持する。このため、主壁部３２における取付孔１８の周囲にかかる商品吊下部１３及び商品吊下部１３に吊り下げられた商品Ｓの荷重の一部が支持板３５を介して一対の側壁部３３にかかるようになる。
【００３３】
すなわち、商品吊下部１３及び商品吊下部１３に吊り下げられた商品Ｓの荷重が主壁部３２と一対の側壁部３３とに分散してかかるようになる。したがって、商品吊下部１３及び商品吊下部１３に吊り下げられた商品Ｓの荷重が主壁部３２の各取付孔１８の周囲に集中してかかることが抑制される。
【００３４】
以上詳述した第２実施形態によれば、上記（１−１）〜（１−３）の効果に加えて、次のような効果が発揮される。
（２−１）商品陳列具３１は、一対の側壁部３３に支持された状態で商品吊下部１３の引っ掛け部１３ｂの前端部における上部をそれぞれ支持する支持板３５を備える。
【００３５】
この構成によれば、主壁部３２における取付孔１８の周囲にかかる商品吊下部１３及び商品吊下部１３に吊り下げられた商品Ｓの荷重の一部を支持板３５を介して一対の側壁部３３によって受けることができる。このため、商品吊下部１３及び商品吊下部１３に吊り下げられた商品Ｓの荷重が主壁部３２の各取付孔１８の周囲に集中してかかることを抑制できる。この結果、主壁部３２の寿命を延ばすことができ、ひいては商品陳列具３１の寿命を延ばすことができる。
【００３６】
（第３実施形態）
次に、商品陳列具の第３実施形態について図面に従って説明する。
この第３実施形態では、第１実施形態と同じ部材については同じ符号を付して上記第１実施形態と異なる点のみを説明し、第１実施形態と重複する説明を省略する。
【００３７】
図１０に示すように、この第３実施形態の商品陳列具４１は、厚紙によって形成されている。商品陳列具４１は、複数（本例では４つ）の取付孔１８を有した上下方向に延びる矩形板状の主壁部４２と、これら４つの取付孔１８にそれぞれ装着された４つの商品吊下部１３とを備えている。
【００３８】
主壁部４２の左右の両端部は、後側に折り返されている。主壁部４２の４つの取付孔１８は、例えば縦横に２列ずつ所定の間隔をあけて並んで配置される。主壁部４２の上端部には、一対の貫通孔４３が左右方向に間隔をあけて形成されている。一対の貫通孔４３には、紐４４が通されて環状にされた状態で取り付けられている。
【００３９】
次に、商品陳列具４１の使用時の作用について説明する。
図１０に示すように、商品陳列具４１は、例えば垂直な壁（図示略）に設けられたフック（図示略）に紐４４を掛けることで、主壁部４２が鉛直面に沿って配置された姿勢で使用される。このため、商品陳列具４１は、容易にユーザーの目線の高さに合わせて商品Ｓ（図１参照）を陳列することができる。
【００４０】
なお、商品陳列具４１は、例えば垂直な壁（図示略）に主壁部４２を立て掛けて使用するようにしてもよい。この場合、商品陳列具４１において、紐４４及び一対の貫通孔４３は省略できる。
【００４１】
以上詳述した第３実施形態によれば、次のような効果が発揮される。
（３−１）商品陳列具４１は、主壁部４２に紐４４が取り付けられた構成になっている。このため、商品陳列具４１は、垂直な壁（図示略）に設けられたフック（図示略）に紐４４を掛けることで、主壁部４２が鉛直面に沿って配置された姿勢で使用することができる。したがって、商品陳列具４１は、容易にユーザーの目線の高さに合わせて商品Ｓ（図１参照）を陳列することができる。この結果、商品陳列具４１によって陳列された商品Ｓをユーザーに対して効果的にアピールすることができる。
【００４２】
（変更例）
上記各実施形態は、以下のように変更して実施することができる。また、上記各実施形態及び以下の変更例は、技術的に矛盾しない範囲で互いに組み合わせて実施することができる。
【００４３】
・図１１（ａ）に示すように、商品吊下部１３は、引っ掛け部１３ｂを、略Ｕ字状をなすように構成してもよい。
・図１１（ｂ）に示すように、商品吊下部１３は、引っ掛け部１３ｂを、１本の棒状をなすように構成してもよい。
【００４４】
・図１１（ｃ）に示すように、商品吊下部１３は、引っ掛け部１３ｂを、前後に並ぶ２本の棒状部分４５を有した構成にしてもよい。
・図１１（ｄ）に示すように、商品吊下部１３は、引っ掛け部１３ｂを、前後に並ぶ３本の棒状部分４５を有した構成にしてもよい。
【００４５】
・主壁部１５，３２，４２に設ける取付孔１８の数や配置は、適宜変更してもよい。
・取付孔１８における突出部１９は、省略してもよい。
・補強部１４，３４は、省略してもよい。
【符号の説明】
【００４６】
１１，３１，４１…商品陳列具
１２…本体部
１３…商品吊下部
１３ａ…基端部
１３ｂ…引っ掛け部
１３ｃ…凹部
１３ｄ…凸部
１４，３４…補強部
１５，３２，４２…主壁部
１６，３３…側壁部
１７…底壁部
１８…取付孔
１９…突出部
２０…スリット
２１…フック部
３３ａ…切欠凹部
３５…支持板
３６…挿入孔
３７…第１切欠部
３８…第２切欠部
３９…支持片
４３…貫通孔
４４…紐
４５…棒状部分
Ｓ…商品
【図１】
0003233388.tif 000003
【図２】
0003233388.tif 000004
【図３】
0003233388.tif 000005
【図４】
0003233388.tif 000006
【図５】
0003233388.tif 000007
【図６】
0003233388.tif 000008
【図７】
0003233388.tif 000009
【図８】
0003233388.tif 000010
【図９】
0003233388.tif 000011
【図１０】
0003233388.tif 000012
【図１１】
0003233388.tif 000013